(57)【特許請求の範囲】
【請求項１】
ドアストッパーの磁石と床面の間隔を調整する間隔調整装置であって、
ドアストッパーは、
第１のケースと、第１のケースに設けられた第２のケースとからなり、
第１のケースは、開閉する扉に取り付けられ、
第２のケースは、扉が開閉して、第２のケースが床面に回動可能に設けられた金属製のストッパー板の上方に位置すると、ストッパー板を第２のケース側に引き寄せる磁石と、この磁石によって引き寄せられたストッパー板を係止して扉を開くことができないようにする係止部を備え、床面と磁石との間隔を調整できるように、第１のケースに摺動可能に設けられた構成であり、
間隔調整装置は、
第２のケースの下面に当接する上当接部と、床面に当接する下当接部とを備えた間隔調整部材と、
第２のケースの下面に間隔調整部材の上当接部を当接させた時に、第２のケースの一側に係合し、第２のケースに間隔調整部材を取り付ける係合部とを有することを特徴とするドアストッパーの間隔調整装置。
【請求項２】
ドアストッパーの磁石と床面の間隔を調整する間隔調整装置であって、
ドアストッパーは、
第１のケースと、第１のケースに設けられた第２のケースとからなり、
第１のケースは、開閉する扉に取り付けられ、
第２のケースは、扉が開閉して、第２のケースが床面に回動可能に設けられた金属製のストッパー板の上方に位置すると、ストッパー板を第２のケース側に引き寄せる磁石と、この磁石によって引き寄せられたストッパー板を係止して扉を開くことができないようにする係止部を備え、床面と磁石との間隔を調整できるように、第１のケースに摺動可能に設けられた構成であり、
間隔調整装置は、
第２のケースの下面に当接する上当接部と、前記ストッパー板を回動可能に取り付ける
基板を着脱可能に装着する装着部とを備えた間隔調整部材と、
第２のケースの下面に間隔調整部材の上当接部を当接させた時に、第２のケースの一側に係合し、第２のケースに間隔調整部材を取り付ける係合部とを有することを特徴とするドアストッパーの間隔調整装置。
【請求項３】
開閉する扉に取り付けられるドアストッパーと、床面に取り付けられ、ドアストッパーの磁石により引き寄せられる金属製のストッパー板を回動可能に取り付ける基板とを備えたドア係止装置のドアストッパーと床面の間隔を調整すると共に基板の床面に対する取付位置を決定する間隔調整装置であって、
間隔調整装置は、
ドアストッパーの一側に係合して取り付けられる係合部と、前記基板を着脱可能に装着する装着部とを備えた間隔調整部材を有することを特徴とするドアストッパーの間隔調整装置。
【請求項４】
前記ドアストッパーは、
開閉する扉に取り付けられるケースを有し、
当該ケースは、ストッパー板をケース側に引き寄せる磁石と、この磁石によって引き寄せられたストッパー板を係止する係止部を備え、
前記間隔調整部材は、ケースの下面に当接する上当接部を有し、
前記係合部は、ケースの下面に間隔調整部材の上当接部を当接させた時に、ケースの一側に係合し、ケースに間隔調整部材を取り付けることを特徴とする請求項３記載のドアストッパーの間隔調整装置。
【請求項５】
前記ドアストッパーは、
第１のケースと、第１のケースに設けられた第２のケースとからなり、
第１のケースは、開閉する扉に取り付けられ、
第２のケースは、ストッパー板を第２のケース側に引き寄せる磁石と、この磁石によって引き寄せられたストッパー板を係止する係止部を備え、床面と磁石との間隔を調整できるように、第１のケースに摺動可能に設けられた構成であり、
前記間隔調整部材は、第２のケースの下面に当接する上当接部を有し、
前記係合部は、第２のケースの下面に間隔調整部材の上当接部を当接させた時に、第２のケースの一側に係合し、第２のケースに間隔調整部材を取り付けることを特徴とする請求項３記載のドアストッパーの間隔調整装置。
【請求項６】
請求項１乃至５のいずれか１項に記載のドアストッパーの間隔調整装置と、前記ドアストッパーと、前記ストッパー板とからなることを特徴とするドア係止装置。
【発明の詳細な説明】
【技術分野】
【０００１】
本願発明は、扉を床面に設けられた金属製のストッパー板の上方の位置まで開くと、ストッパー板を磁石により引き上げて係止させ、扉の開閉を規制するドアストッパーの磁石と床面との距離を調整する間隔調整装置に関する。
【背景技術】
【０００２】
従来ドアストッパーには、外側ケースと、外側ケース内に設けられた内側ケースとからなるものが存在する。外側ケースは、開閉する扉に取り付けられる。内側ケースは、扉が開閉して、内側ケースが床面に回動可能に設けられた金属製のストッパー板の上方に位置すると、ストッパー板を内側ケース側に引き寄せる磁石と、この磁石によって引き寄せられたストッパー板を係止して扉を開くことができないようにする係止部を備えている。上記従来ドアストッパーは、内側ケースが外側ケース内で調整ネジによって上下方向に移動できるようになっており、床面と磁石の間隔を調整することができる（例えば、特許文献１、２）。
【先行技術文献】
【特許文献】
【０００３】
【特許文献１】特開２００４−１９０２９８号公報
【特許文献２】特開２００７−２３７３４号公報
【発明の概要】
【発明が解決しようとする課題】
【０００４】
上記従来のドアストッパーは、組み込まれる磁石の磁力が強い場合、磁石が床面からある程度離れていてもストッパー板を引き上げることができるので、扉への取り付け位置、取り付けた扉の傾き等に影響されることなく機能するが、磁力の強い磁石が高価で採用し難く、採用した場合には安価に製造することができないという問題点があった。また上記従来のドアストッパーは、磁力の弱い磁石を採用した場合には、磁力の弱い磁石が安価であるため、安価に製造することができるが、磁石が床面からある程度離れた場合ストッパー板を引き上げることができないので、磁石と床面と距離の調節が重要な課題となっている。上記従来のドアストッパーは、調整ネジによって磁石の高さを調整することができるが、この調整が難しいという問題点があった。また、磁石の高さを調整する機構が組み込まれているため、構造が複雑となり、安い磁石を採用しても安価に製造することができないという問題点があった。さらに、ストッパー板の床面に対する取付位置の正確性がとても重要であり、ストッパー板の取付位置が扉に取り付けられたドアストッパーの回転軌道上からずれている場合又はストッパー板の正確な取付位置から傾いて取り付けられた場合には、本来のドアストッパーとしての機能が損なわれ、正確に作動しないことがあるという問題点があった。
【０００５】
本願発明は、上記問題点に鑑み案出したものであって、磁石と床面との距離を簡単に調整することができ、ドアストッパーの構造を簡単で安価にすることができると共にストッパー板の正確な取付位置を決定することができる間隔調整装置を提供することを目的とする。
【課題を解決するための手段】
【０００６】
本願請求項１記載のドアストッパーの間隔調整装置は、上記目的を達成するため、ドアストッパーの磁石と床面の間隔を調整する間隔調整装置であって、ドアストッパーは、第１のケースと、第１のケースに設けられた第２のケースとからなり、第１のケースは、開閉する扉に取り付けられ、第２のケースは、扉が開閉して、第２のケースが床面に回動可能に設けられた金属製のストッパー板の上方に位置すると、ストッパー板を第２のケース側に引き寄せる磁石と、この磁石によって引き寄せられたストッパー板を係止して扉を開くことができないようにする係止部を備え、床面と磁石との間隔を調整できるように、第
１のケースに摺動可能に設けられた構成であり、間隔調整装置は、第２のケースの下面に当接する上当接部と、床面に当接する下当接部とを備えた間隔調整部材と、第２のケースの下面に間隔調整部材の上当接部を当接させた時に、第２のケースの一側に係合し、第２のケースに間隔調整部材を取り付ける係合部とを有することを特徴とする。
【０００７】
本願請求項２記載のドアストッパーの間隔調整装置は、上記目的を達成するため、ドアストッパーの磁石と床面の間隔を調整する間隔調整装置であって、ドアストッパーは、第１のケースと、第１のケースに設けられた第２のケースとからなり、第１のケースは、開閉する扉に取り付けられ、第２のケースは、扉が開閉して、第２のケースが床面に回動可能に設けられた金属製のストッパー板の上方に位置すると、ストッパー板を第２のケース側に引き寄せる磁石と、この磁石によって引き寄せられたストッパー板を係止して扉を開くことができないようにする係止部を備え、床面と磁石との間隔を調整できるように、第１のケースに摺動可能に設けられた構成であり、間隔調整装置は、第２のケースの下面に当接する上当接部と、前記ストッパー板を回動可能に取り付ける基板を着脱可能に装着する装着部とを備えた間隔調整部材と、第２のケースの下面に間隔調整部材の上当接部を当接させた時に、第２のケースの一側に係合し、第２のケースに間隔調整部材を取り付ける係合部とを有することを特徴とする。
【０００８】
本願請求項３記載のドアストッパーの間隔調整装置は、上記目的を達成するため、開閉する扉に取り付けられるドアストッパーと、床面に取り付けられ、ドアストッパーの磁石により引き寄せられる金属製のストッパー板を回動可能に取り付ける基板とを備えたドア係止装置のドアストッパーと床面の間隔を調整すると共に基板の床面に対する取付位置を決定する間隔調整装置であって、間隔調整装置は、ドアストッパーの一側に係合して取り付けられる係合部と、前記基板を着脱可能に装着する装着部とを備えた間隔調整部材を有することを特徴とする。
【０００９】
本願請求項４記載のドアストッパーの間隔調整装置は、上記目的を達成するため、前記ドアストッパーは、開閉する扉に取り付けられるケースを有し、当該ケースは、ストッパー板をケース側に引き寄せる磁石と、この磁石によって引き寄せられたストッパー板を係止する係止部を備え、前記間隔調整部材は、ケースの下面に当接する上当接部を有し、前記係合部は、ケースの下面に間隔調整部材の上当接部を当接させた時に、ケースの一側に係合し、ケースに間隔調整部材を取り付けることを特徴とする。
【００１０】
本願請求項５記載のドアストッパーの間隔調整装置は、上記目的を達成するため、前記ドアストッパーは、第１のケースと、第１のケースに設けられた第２のケースとからなり、第１のケースは、開閉する扉に取り付けられ、第２のケースは、ストッパー板を第２のケース側に引き寄せる磁石と、この磁石によって引き寄せられたストッパー板を係止する係止部を備え、床面と磁石との間隔を調整できるように、第１のケースに摺動可能に設けられた構成であり、前記間隔調整部材は、第２のケースの下面に当接する上当接部を有し、前記係合部は、第２のケースの下面に間隔調整部材の上当接部を当接させた時に、第２のケースの一側に係合し、第２のケースに間隔調整部材を取り付けることを特徴とする。
【００１１】
本願請求項６記載のドア係止装置は、上記ドアストッパーの間隔調整装置と、前記ドアストッパーと、前記ストッパー板とからなる。
【発明の効果】
【００１２】
本願発明に係るドアストッパーの間隔調整装置は、ドアストッパーの磁石と床面の間隔を調整する間隔調整装置である。ドアストッパーは、第１のケースと、第１のケースに設けられた第２のケースとからなる。第１のケースは、開閉する扉に取り付けられる。第２のケースは、扉が開閉して、第２のケースが床面に回動可能に設けられた金属製のストッパー板の上方に位置すると、ストッパー板を第２のケース側に引き寄せる磁石と、この磁石によって引き寄せられたストッパー板を係止して扉を開くことができないようにする係止部を備え、床面と磁石との間隔を調整できるように、第１のケースに摺動可能に設けられた構成である。間隔調整装置は、第２のケースの下面に当接する上当接部と、床面に当接する下当接部とを備えた間隔調整部材と、第２のケースの下面に間隔調整部材の上当接部を当接させた時に、第２のケースの一側に係合し、第２のケースに間隔調整部材を取り付ける係合部とを有する。
【００１３】
本願発明に係るドアストッパーの間隔調整装置は、第２のケースの下面に間隔調整部材の上当接部を当接させ、第２のケースの一側に間隔調整部材の係合部を係合させることにより、第２のケースに取り付けることができる。この状態で扉を回転させて所定位置において、間隔調整部材の下当接部を床面に当接させると、第２のケースが下方に引き出され、第２のケースを第１のケースに固定することにより、第２のケースの磁石と床面との間隔を常に一定に調整することができるという効果がある。
【００１４】
本願発明に係るドアストッパーの間隔調整装置は、ドアストッパーの磁石と床面の間隔を調整する間隔調整装置である。ドアストッパーは、第１のケースと、第１のケースに設けられた第２のケースとからなる。第１のケースは、開閉する扉に取り付けられる。第２のケースは、扉が開閉して、第２のケースが床面に回動可能に設けられた金属製のストッパー板の上方に位置すると、ストッパー板を第２のケース側に引き寄せる磁石と、この磁石によって引き寄せられたストッパー板を係止して扉を開くことができないようにする係止部を備え、床面と磁石との間隔を調整できるように、第１のケースに摺動可能に設けられた構成である。間隔調整装置は、第２のケースの下面に当接する上当接部と、前記ストッパー板を回動可能に取り付ける基板を着脱可能に装着する装着部とを備えた間隔調整部材と、第２のケースの下面に間隔調整部材の上当接部を当接させた時に、第２のケースの
一側に係合し、第２のケースに間隔調整部材を取り付ける係合部とを有する。
【００１５】
本案発明に係るドアストッパーの間隔調整装置は、ストッパー板を回動可能に取り付ける基板を間隔調整部材の装着部に着脱可能に装着し、第２のケースの下面に間隔調整部材の上当接部を当接させ、第２のケースの一側に間隔調整部材の係合部を係合させることにより、第２のケースに取り付けることができる。この状態で扉を回転させて所定位置において、間隔調整部材に装着した基板を床面に当接させると、第２のケースが下方に引き出され、第２のケースを第１のケースに固定することにより、第２のケースの磁石と床面との間隔を常に一定に調整することができる。しかもこの状態で基板を床面に固定することにより、基板がドアストッパーの回転軌道上の正確な位置に取り付けられ、しかも正確な方向に取り付けられるので、基板に取り付けられるストッパー板を正確な位置に配置することができるという効果がある。
【００１６】
本願発明に係るドアストッパーの間隔調整装置は、開閉する扉に取り付けられるドアストッパーと、床面に取り付けられ、ドアストッパーの磁石により引き寄せられる金属製のストッパー板を回動可能に取り付ける基板とを備えたドア係止装置のドアストッパーと床面の間隔を調整すると共に基板の床面に対する取付位置を決定する間隔調整装置である。間隔調整装置は、ドアストッパーの一側に係合して取り付けられる係合部と、前記基板を着脱可能に装着する装着部とを備えた間隔調整部材を有する。
【００１７】
本案発明に係るドアストッパーの間隔調整装置は、基板を間隔調整部材の装着部に着脱可能に装着し、ドアストッパーの一側に間隔調整部材の係合部を係合させることにより、ドアストッパーに取り付けることができる。この状態で扉を回転させて所定位置において、間隔調整部材に装着した基板を床面に当接させると、ドアストッパーが下方に引き出され、ドアストッパーを扉に固定することにより、ドアストッパーの磁石と床面との間隔を常に一定に調整することができる。しかもこの状態で基板を床面に固定することにより、基板がドアストッパーの回転軌道上の正確な位置に取り付けられ、しかも正確な方向に取り付けられるので、基板に取り付けられるストッパー板を正確な位置に配置することができるという効果がある。
【００１８】
本願発明に係るドアストッパーの間隔調整装置は、前記ドアストッパーが、開閉する扉に取り付けられるケースを有する。当該ケースは、ストッパー板をケース側に引き寄せる磁石と、この磁石によって引き寄せられたストッパー板を係止する係止部を備えている。前記間隔調整部材は、ケースの下面に当接する上当接部を有する。前記係合部は、ケースの下面に間隔調整部材の上当接部を当接させた時に、ケースの一側に係合し、ケースに間隔調整部材を取り付ける。
【００１９】
本案発明に係るドアストッパーの間隔調整装置は、基板を間隔調整部材の装着部に着脱可能に装着し、ケースの下面に間隔調整部材の上当接部を当接させ、ケースの一側に間隔調整部材の係合部を係合させることにより、ケースに取り付けることができる。この状態で扉を回転させて所定位置において、間隔調整部材に装着した基板を床面に当接させると、ケースが下方に引き出され、ケースを扉に固定することにより、ケースの磁石と床面との間隔を常に一定に調整することができる。しかもこの状態で基板を床面に固定することにより、基板がドアストッパーの回転軌道上の正確な位置に取り付けられ、しかも正確な方向に取り付けられるので、基板に取り付けられるストッパー板を正確な位置に配置することができるという効果がある。
【００２０】
本願発明に係るドアストッパーの間隔調整装置は、前記ドアストッパーが、第１のケースと、第１のケースに設けられた第２のケースとからなる。第１のケースは、開閉する扉に取り付けられている。第２のケースは、ストッパー板を第２のケース側に引き寄せる磁石と、この磁石によって引き寄せられたストッパー板を係止する係止部を備え、床面と磁石との間隔を調整できるように、第１のケースに摺動可能に設けられた構成である。前記間隔調整部材は、第２のケースの下面に当接する上当接部を有する。前記係合部は、第２のケースの下面に間隔調整部材の上当接部を当接させた時に、第２のケースの一側に係合し、第２のケースに間隔調整部材を取り付ける。
【００２１】
本案発明に係るドアストッパーの間隔調整装置は、基板を間隔調整部材の装着部に着脱可能に装着し、第２のケースの下面に間隔調整部材の上当接部を当接させ、第２のケースの一側に間隔調整部材の係合部を係合させることにより、第２のケースに取り付けることができる。この状態で扉を回転させて所定位置において、間隔調整部材に装着した基板を床面に当接させると、第２のケースが下方に引き出され、第２のケースを第１のケースに固定することにより、第２のケースの磁石と床面との間隔を常に一定に調整することができる。しかもこの状態で基板を床面に固定することにより、基板がドアストッパーの回転軌道上の正確な位置に取り付けられ、しかも正確な方向に取り付けられるので、基板に取り付けられるストッパー板を正確な位置に配置することができるという効果がある。
【図面の簡単な説明】
【００２２】
【図１】本願発明に係るドアストッパーの全体説明図であって、（ａ）が斜視図、（ｂ）が平面図、（ｃ）が右側面図、（ｄ）が正面図、（ｅ）が左側面断面図である。
【図２】本願発明に係るドアストッパー及び間隔調整装置の分解斜視説明図である。
【図３】図１の第１のケースの説明図であって、（ａ）が斜視図、（ｂ）が平面図、（ｃ）が右側面図、（ｄ）が正面図、（ｅ）が背面図、（ｆ）が底面図である。
【図４】図１の第２のケースの説明図であって、（ａ）が斜視図、（ｂ）が平面図、（ｃ）が右側面図、（ｄ）が正面図、（ｅ）が背面図、（ｆ）が底面図である。
【図５】図１の作動板の説明図であって、（ａ）が斜視図、（ｂ）が平面図、（ｃ）が右側面図、（ｄ）が正面図、（ｅ）が背面図、（ｆ）が底面図である。
【図６】図２のストッパー装置の基板の説明図であって、（ａ）が斜視図、（ｂ）が平面図、（ｃ）が右側面図、（ｄ）が正面図、（ｅ）が背面図、（ｆ）が底面図である。
【図７】図２のストッパー装置のストッパー板の説明図であって、（ａ）が斜視図、（ｂ）が平面図、（ｃ）が右側面図、（ｄ）が正面図、（ｅ）が背面図、（ｆ）が底面図である。
【図８】本願発明に係る間隔調整装置の説明図であって、（ａ）が斜視図、（ｂ）が平面図、（ｃ）が右側面図、（ｄ）が正面図、（ｅ）が背面図、（ｆ）が底面図である。
【図９Ａ】本願発明に係る間隔調整装置の動きを説明する説明図である。
【図９Ｂ】本願発明に係る間隔調整装置の動きを説明する説明図である。
【発明を実施するための形態】
【００２３】
ドアストッパー１の間隔調整装置７０は、ドアストッパー１の磁石４２と床面Ｆの間隔を調整するものである。図１，２に示すように、ドアストッパー１は、第１のケース２と、第１のケース２に設けられた第２のケース１０とからなる。第１のケース２は、開閉する扉Ｄに取り付けられる。第２のケース１０は、扉Ｄが開閉して、第２のケース１０が床面Ｆに回動可能に設けられた金属製のストッパー板５２の上方に位置すると、ストッパー板５２を第２のケース１０側に引き寄せる磁石４２と、この磁石４２によって引き寄せられたストッパー板５２を係止して扉Ｄを開くことができないようにする係止部１５ｆ,１６ｆを備え、床面Ｆと磁石４２との間隔を調整できるように、第１のケース２に摺動可能に設けられた構成である。間隔調整装置７０は、第２のケース１０の下面１０ａに当接する上当接部７１ａと、床面Ｆに当接する下当接部８１ａとを備えた間隔調整部材７１と、第２のケース１０の下面１０ａに間隔調整部材７１の上当接部７１ａを当接させた時に、第２のケース１０の一側に係合する係合部７６，７６とを有する。
【００２４】
ドアストッパー１の間隔調整装置７０は、第２のケース１０の下面１０ａに間隔調整部材７１の上当接部７１ａを当接させ、第２のケース１０の一側に間隔調整部材７１の係合部７６，７６を係合させることにより、第２のケース１０に取り付けることができる。この状態で扉Ｄを回転させて所定位置において、間隔調整部材７１の下当接部８１ａを床面Ｆに当接させると、第２のケース１０が下方に引き出され、第２のケース１０を第１のケース２に固定することにより、第２のケース１０の磁石４２と床面Ｆとの間隔を常に一定に調整することができる。
【００２５】
さらに、ドアストッパー１の間隔調整装置７０は、図８に示すように、第２のケース１０の下面１０ａに当接する上当接部７１ａと、前記ストッパー板５２を回動可能に取り付ける基板５１を着脱可能に装着する装着部８２，８３とを備えた間隔調整部材７１と、第２のケース１０の下面１０ａに間隔調整部材７１の上当接部７１ａを当接させた時に、第２のケース１０の一側に係合する係合部７６，７６とを有する。
【００２６】
ドアストッパー１の間隔調整装置７０は、ストッパー板５２を回動可能に取り付ける基板５１を間隔調整部材７１の装着部８２，８３に着脱可能に装着し、第２のケース１０の下面１０ａに間隔調整部材７１の上当接部７１ａを当接させ、第２のケース１０の一側に間隔調整部材７１の係合部７６，７６を係合させることにより、第２のケース１０に取り付けることができる。この状態で扉Ｄを回転させて所定位置において、間隔調整部材７１に装着した基板５１を床面Ｆに当接させると、第２のケース１０が下方に引き出され、第２のケース１０を第１のケース２に固定することにより、第２のケース１０の磁石４２と床面Ｆとの間隔を常に一定に調整することができる。しかもこの状態で基板５１を床面Ｆに固定することにより、基板５１がドアストッパー１の回転軌道上の正確な位置に取り付けられ、しかも正確な方向に取り付けられるので、基板５１に取り付けられるストッパー板５２を正確な位置に配置することができる。
【００２７】
ドアストッパー１の間隔調整装置７０は、開閉する扉Ｄに取り付けられるドアストッパー１と、床面Ｆに取り付けられ、ドアストッパー１の磁石４２により引き寄せられる金属製のストッパー板５２を回動可能に取り付ける基板５１とを備えたドア係止装置Ａのドアストッパー１と床面Ｆの間隔を調整すると共に基板５１の床面Ｆに対する取付位置を決定するものである。間隔調整装置７０は、ドアストッパー１の一側に係合する係合部７６，７６と、前記基板５１を着脱可能に装着する装着部８２，８３とを備えた間隔調整部材７１を有する。
【００２８】
ドアストッパー１の間隔調整装置７０は、基板５１を間隔調整部材７１の装着部８２，８３に着脱可能に装着し、ドアストッパー１の一側に間隔調整部材７１の係合部７６，７６を係合させることにより、ドアストッパー１に取り付けることができる。この状態で扉Ｄを回転させて所定位置において、間隔調整部材７１に装着した基板５１を床面Ｆに当接させると、ドアストッパー１が下方に引き出され、ドアストッパー１を扉Ｄに固定することにより、ドアストッパー１の磁石４２と床面Ｆとの間隔を常に一定に調整することができる。しかもこの状態で基板５１を床面Ｆに固定することにより、基板５１がドアストッパー１の回転軌道上の正確な位置に取り付けられ、しかも正確な方向に取り付けられるので、基板５１に取り付けられるストッパー板５２を正確な位置に配置することができるという効果がある。
【００２９】
ドアストッパー１の間隔調整装置７０は、前記ドアストッパー１が、開閉する扉Ｄに取り付けられるケース２を有する。当該ケース２は、ストッパー板５２をケース２側に引き寄せる磁石４２と、この磁石４２によって引き寄せられたストッパー板５２を係止する係止部１５ｆ,１６ｆを備えている。前記間隔調整部材７１は、ケース２の下面１０ａに当接する上当接部７１ａを有する。前記係合部７６，７６は、ケース２の下面１０ａに間隔調整部材７１の上当接部７１ａを当接させた時に、ケース２の一側に係合する。
【００３０】
ドアストッパー１の間隔調整装置７０は、基板５１を間隔調整部材７１の装着部８２，８３に着脱可能に装着し、ケース２の下面１０ａに間隔調整部材７１の上当接部７１ａを当接させ、ケース２の一側に間隔調整部材７１の係合部７６，７６を係合させることにより、ケース２に取り付けることができる。この状態で扉Ｄを回転させて所定位置において、間隔調整部材７１に装着した基板５１を床面Ｆに当接させると、ケース２が下方に引き出され、ケース２を扉Ｄに固定することにより、ケース２の磁石４２と床面Ｆとの間隔を常に一定に調整することができる。しかもこの状態で基板５１を床面Ｆに固定することにより、基板５１がドアストッパー１の回転軌道上の正確な位置に取り付けられ、しかも正確な方向に取り付けられるので、基板５１に取り付けられるストッパー板５２を正確な位置に配置することができる。
【００３１】
ドアストッパー１の間隔調整装置７０は、前記ドアストッパー１が、第１のケース２と、第１のケース２に設けられた第２のケース１０とからなる。第１のケース２は、開閉する扉Ｄに取り付けられる。第２のケース１０は、ストッパー板５２を第２のケース１０側に引き寄せる磁石４２と、この磁石４２によって引き寄せられたストッパー板５２を係止する係止部１５ｆ,１６ｆを備え、床面Ｆと磁石４２との間隔を調整できるように、第１のケース２に摺動可能に設けられた構成である。前記間隔調整部材７１は、第２のケース１０の下面１０ａに当接する上当接部７１ａを有する。前記係合部７６，７６は、第２のケース１０の下面１０ａに間隔調整部材７１の上当接部７１ａを当接させた時に、第２のケース１０の一側に係合する。
【００３２】
ドアストッパー１の間隔調整装置７０は、基板５１を間隔調整部材７１の装着部８２，８３に着脱可能に装着し、第２のケース１０の下面に間隔調整部材７１の上当接部７１ａを当接させ、第２のケース１０の一側に間隔調整部材７１の係合部７６，７６を係合させることにより、第２のケース１０に取り付けることができる。この状態で扉Ｄを回転させて所定位置において、間隔調整部材７１に装着した基板５１を床面Ｆに当接させると、第２のケース１０が下方に引き出され、第２のケース１０を第１のケース２に固定することにより、第２のケース１０の磁石４２と床面Ｆとの間隔を常に一定に調整することができる。しかもこの状態で基板５１を床面Ｆに固定することにより、基板５１がドアストッパー１の回転軌道上の正確な位置に取り付けられ、しかも正確な方向に取り付けられるので、基板５１に取り付けられるストッパー板５２を正確な位置に配置することができる。
【００３３】
さらにドアストッパー１について詳細に説明する。なお、ドアストッパー１とストッパー装置５０によって、扉Ｄを所定位置で係止するドア係止装置Ａを構成する。図１，２に示すように、ドアストッパー１は、第１のケース２と第２のケース１０とからなる。第１のケース２は、図３に示すように、前壁３と、後壁４と、右壁５と、左壁６と、上壁７とからなる。前壁３は、下端から略中央に向かって開口３ａが形成され、開口３ａの上部に縦長のネジ挿通孔３ｂが設けられ、右壁５、左壁６及び上壁７の前部に囲まれて凹部９の底を形成する。後壁４は、内面両側に略コ字状のガイド凹部４ａ，４ｂが形成されている。右壁５及び左壁６には、下端から上部に向かって切り欠き５ａ，６ａが形成されている。上壁７は、半円軸状に形成され、長手方向に向かって、挿通孔７ａが設けられている。
【００３４】
第２のケース１０は、図４に示すように、前側壁１３と、後側壁１４と、右側壁１５と、左側壁１６とからなる。前側壁１３は、上端から下部に向かって切り欠き１３ａが形成され、略中央に開口１３ｂが設けられている。後側壁１４は、前記第１のケース２の後壁４のガイド凹部４ａ，４ｂに案内されるガイド凸部１４ａ，１４ｂが設けられている。右側壁１５及び左側壁１６には、前記第１のケース２の切り欠き５ａ，６ａに摺動可能に案内される摺動凸面１５ｂ，１６ｂが設けられている。従って、第２のケース１０は、第１のケース２の上下方向に摺動可能に案内される構成となっている。
【００３５】
第２のケース１０の前記右側壁１５と左側壁１６の内側前部には、摺動溝１５ｃ,１６ｃが上下方向に伸びるように形成されている。また、第２のケース１０の下部には、磁石装着室１７が形成されている。右側壁１５と左側壁１６の下部には、磁石装着室１７に連通する装着孔１８，１８が形成されている。右側壁１５と左側壁１６の下端外側には、板状の係合部材１１，１２が突設されている。係合部材１１，１２には、一対の係合凹部１１ａ，１２ａが形成されている。右側壁１５と左側壁１６の下端内側は、後記ストッパー板５２の先端５５を係止する係止部１５ｆ、１６ｆを形成する。
【００３６】
第２のケース１０は、図１，２に示すように、ロック部材２０と、ナット部材３０と、マグネット部材４０が内装されている。ロック部材２０は、上下方向に伸びるロックプレート２１と、ロックプレート２１と略平行となる作動板２２と、作動板２２に一対の係止爪２５ａ，２５ｂにより取り付けられた操作板２５とからなる。ロックプレート２１は、上部に屈曲して形成された差込部２１ａを有し、作動板２２の上部に形成された差込凹部２２ｃ（図５参照）に差込部２１ａを差し込んで作動板２２に連結固定されている。作動板２２は、両側に摺動突起２２ａ,２２ｂが形成されている。
【００３７】
ロック部材２０は、作動板２２の摺動突起２２ａ,２２ｂが第２のケース１０の摺動溝１５ｃ，１６ｃに摺動可能に案内され、上下方向に移動可能であると共に、操作板２５が第２のケース１０の開口１３ｂから外側に突出する。前記作動板２２の上端には、後方に伸びるアーム部材２６が形成されている。当該アーム部材２６には、Ｕ字状スナップバネ２８の一方の軸２８ａが回動可能に取り付けられている。Ｕ字状スナップバネ２８の他方の軸２８ｂは、第２のケース１０の磁石装着室１７の上壁１９に突設形成された軸受けアーム１９ａに回動可能に連結されている。従って、ロック部材２０は、Ｕ字状スナップバネ２８によって位置決めされている。
【００３８】
ナット部材３０は、略矩形状のナット本体３１とナットケース３２とからなる。ナット本体３１の略中央には雌ねじ３１ａが形成されている。ナットケース３２は、ナット本体３１を収容する収容室３２ａと、収容室３２ａの前壁に形成され、収容したナット本体３１の雌ねじ３１ａと対向する透孔３２ｂとが形成されている。ナットケース３２の両側には、嵌合突起３３，３３が形成され、嵌合突起３３，３３に係止爪３５，３５が設けられている。
【００３９】
第２のケース１０の右側壁１５と左側壁１６の内側前部上方には、嵌合溝１５ｄ、１６ｄと係止凹部１５ｅ，１６ｅが形成されている。ナット部材３０は、ナットケース３２の嵌合突起３３，３３が嵌合溝１５ｄ、１６ｄに嵌合し、係止爪３５，３５が係止凹部１５ｅ，１６ｅに着脱可能に係止され、第２のケース１０の切り欠き１３ａに嵌合して取り付けられ、雌ねじ３１ａが第１のケース２の前壁３に設けられたネジ挿通孔３ｂに対向する。前記ロック部材２０は、図１に示すように、ナット部材３０により上方への移動が規制される。第１のケース２のネジ挿通孔３ｂから固定ネジ３６を差し込んで、固定ネジ３６をナット部材３０の雌ねじ３１ａに締め付けることにより、第１のケース２に第２のケース１０を固定することができ、固定ネジ３６を緩めることにより、第１のケース２内で第２のケース１０を上下方向に摺動させることができる。
【００４０】
図２に示すように、マグネット部材４０は、矩形箱状の収容ケース４１と、収容ケース４１内に収容され、係止爪４３ａ、４４ａによって係止されるマグネット４２とからなる。収容ケース４１の前壁４３と後壁４４に係止軸４５，４５が形成されている。マグネット部材４０は、第２のケース１０の装着孔１８，１８から挿入して磁石装着室１７に装着され、係止軸４５，４５が磁石装着室１７の前部と後部に形成された軸受け部１７ａ，１７ｂに軸受けされて、第２のケース１０に取り付けられる。
【００４１】
図２に示すように、ストッパー装置５０は、床面Ｆに固定される基板５１と、基板５１に回動可能に取り付けられた金属製のストッパー板５２と、基板５１に接合固定されたカバー６８とからなる。基板５１は、図６に示すように、平板状に形成され、一対のネジ通し穴６０，６０と、一対の係合穴６１，６１が設けられ、さらに軸受け部６２，６２が形成されている。図７に示すように、金属製のストッパー板５２は、長板状に形成され、一端両側に取付軸５４，５４が形成され、他端５５側近傍に係合開口５３が形成されている。ストッパー板５２は、基板５１の軸受け部６２，６２に取付軸５４，５４が回動可能に枢着されて取り付けられ、カバー６８に形成された矩形状凹部５６内に位置している。ストッパー装置５０は、基板５１のネジ通し穴６０，６０にネジ７８，７８を挿通して床面Ｆに螺着して固定される。
【００４２】
図８に示すように、間隔調整装置７０は、係合板（間隔調整部材）７１と、係合板７１と連続する把持板７２と、係合板７１の把持板７２側端部に設けられ、係合板７１の上面（上当接部）７１ａに略直角に形成された当接板７５とからなる。当接板７５の前面上端には、一対の係合片７６，７６が形成されている。係合板７１は、上面７１ａが前記第２のケース１０の係合部材１１，１２の下面１０ａと接合するように形成されており、この接合時に、一対の係合片７６，７６が係合部材１１（又は１２）の一対の係合凹部１１ａ（又は１２ａ）と係合するように構成されている。
【００４３】
係合板７１及び把持板７２の下面には、前後方向に伸びる一対の調整板８１，８１と、調整板８１，８１の前端に設けられた前係止板８２と、調整板８１，８１の後端に設けられた後係止板８３が形成されている。間隔調整装置７０は、下部側でストッパー装置５０の基板５１を係止する構成であり、前記一対の調整板８１，８１が基板５１のネジ通し穴６０，６０間、係合穴６１，６１間、軸受け部６２，６２間に位置し、一対の調整板８１，８１の下端（下当接部）８１ａ，８１ａが基板５１の上面に当接する。前係止板（装着部）８２の下端には、基板５１の前端下部に形成された係止凹部６３を係止する係止突起８５が形成され、後係止板（装着部）８３の下端には、基板５１の後端下部に形成された係止凹部６５を係止する係止突起８６が形成されている。また、一対の調整板８１，８１には、基板５１の軸受け部６２，６２を挿通する切り欠き８７，８７が形成されている。
【００４４】
係合板７１は、基板５１のネジ通し穴６０，６０と対向する位置に切り欠き部７７，７７が設けられ、下面に基板５１の係合穴６１，６１に係合される係合ピン７９，７９が形成されている。把持板７２の両側には、垂直板９１，９１が下方に向かって設けられ、垂直板９１，９１の下端に水平板９２，９２が設けられている。垂直板９１，９１は、前係止板８２及び後係止板８３と略同じ高さで形成され、前係止板８２及び後係止板８３は、調整板８１，８１よりもストッパー装置５０の基板５１の略厚みだけ長く形成されている。
【００４５】
上記したドアストッパー１は、図９Ａ（ａ）に示すように、扉Ｄの下端に形成された凹部Ｄ１内に設け、図９Ａ（ｂ）に示すように、第１のケース２の挿通孔７ａに取付ネジＥを挿通して扉Ｄにねじ込むことにより、扉Ｄに固定される。図９Ａ（ｃ）に示すように、間隔調整装置７０の下部にストッパー装置５０の基板５１を装着する。基板５１は、これの上面に間隔調整装置７０の調節板８１の下端（下当接部）８１ａを当接させ、基板５１の係止凹部６３に間隔調整装置７０の前係止板８２の係止突起８５を係止させ、基板５１の係止凹部６５に後係止板８３の係止突起８６を係止させ、基板５１の係合穴６１，６１に間隔調整装置７０の係合ピン７９，７９を係合して、間隔調整装置７０に取り付けられる。
【００４６】
図９Ａ（ｄ）に示すように、基板５１を装着した状態で、ドアストッパー１の第２のケース１０の係合部材１１，１２の下面１０ａに、間隔調整装置７０の係合板（間隔調整部材）７１の上面（上当接部）７１ａを当接し、間隔調整装置７０を摺動させて係合片（係合部）７６を係合部材１１の係合凹部１１ａ，１１ａに係合させることにより、第２のケース１０の下面１０ａに間隔調整装置７０を取り付けることができる。
【００４７】
第２のケース１０は、第１のケース２内で上下方向に移動可能であるが、固定ネジ３６により固定されているので、固定ネジ３６を緩めて移動可能状態にする。図９Ｂ（ｅ）に示すように、間隔調整装置７０は、押し下げると、図９Ｂ（ｆ）に示すように、第２のケース１０も同様に下方に引き出され、基板５１が床面Ｆに当接して、下方への移動が停止する。固定ネジ３６を締め付けることにより、第２のケース１０を第１のケース２移動不能に固定する。このようにすることにより、扉Ｄと床面Ｆとの距離に関係なく、第２のケース１０内のマグネット（磁石）４２と床面Ｆの距離が確実に一定となる。
【００４８】
図９Ｂ（ｇ）に示すように、間隔調整装置７０を動かないように保持して、扉Ｄを回動させると、ドアストッパー１は、第２のケース１０の係合部材１１，１２の下面１０ａが間隔調整装置７０の係合板（間隔調整部材）７１の上面（上当接部）７１ａ上を摺動しながら、係合部材１１の係合凹部１１ａ，１１ａが間隔調整装置７０の係合片（係合部）７６から外れ、間隔調整装置７０から離脱する。基板５１は、間隔調整装置７０の切り欠き部７７，７７からネジ７８，７８を基板５１のネジ通し穴６０に通して床面Ｆにねじ込むことにより、床面Ｆに固定することができる。
【００４９】
図９Ｂ（ｈ）に示すように、基板５１は、ネジ７８，７８により床面Ｆに固定されるので、間隔調整装置７０は、これを上方に引き上げると、基板５１の係止凹部６３から前係止板８２の係止突起８５が外れ、基板５１の係止凹部６５から後係止板８３の係止突起８６が外れ、基板５１の係合穴６１，６１から係合ピン７９，７９が離間して、基板５１から脱離する。このように、基板５１は、ドアストッパー１の回動軌道下に確実に取り付けることができ、しかもドアストッパー１のマグネット（磁石）４２との高さを常に一定にすることができる。
【００５０】
基板５１の軸受け部６２，６２にストッパー板５２の取付軸５４，５４を回動可能に取り付け、カバー６８を基板５１に取り付けることにより、ストッパー装置５０が組み立てられる。なお、基板５１は、ストッパー板５２を回動可能に取り付けた状態で、間隔調整装置７０に装着することができる。前記一対の調整板８１は、ストッパー板５２を挟むように両側に配置され、基板５１の上面に下端（下当接部）８１ａが当接するので、ストッパー板５２が基板５１に最初から組み込まれていても、なんら支障はない。
【００５１】
扉Ｄを開放方向に回動して、ドアストッパー１がストッパー装置５０の上方に移動すると、マグネット（磁石）４２によってストッパー板５２が上方に引き上げられ、ストッパー板５２の先端５５がドアストッパー１の第２のケース１０の係止部１６ｆ（１５ｆ）に係止される。この状態で、操作板２５を操作して作動板２２をスナップバネ２８の弾性に抗して押し込むと、ロックプレート２１の先端がストッパー板５２の係合開口５３内に突出して係合し、扉Ｄの回動をロックする。そのため、扉Ｄは、開放方向は勿論のこと閉鎖方向への回動が規制される。なお、ロックプレート２１は、スナップバネ２８の弾性により、この状態で位置決めされている。扉Ｄは、このようにして、ドアストッパー１により開放が規制される。
【００５２】
操作板２５を操作して作動板２２をスナップバネ２８の弾性に抗して引き上げると、ロックプレート２１の先端がストッパー板５２の係合開口５３から離間して係合が解除され、扉Ｄのロックを解除する。そのため、扉Ｄは、閉鎖方向への回動が可能となる。ロックプレート２１は、スナップバネ２８の弾性により、この状態で位置決めされている。扉Ｄを閉鎖方向に回動すると、ドアストッパー１がストッパー装置５０から離れるため、ストッパー板５２が元の位置に復帰する。
【産業上の利用可能性】
【００５３】
本発明は、開閉する扉を開いた状態でロックするドアストッパーに利用可能である。
【符号の説明】
【００５４】
Ａ  ドア係止装置
Ｆ 床面
Ｄ 扉（ドア）
Ｄ１  凹部
Ｅ  取付ネジ
１  ドアストッパー
２  第１のケース
３  前壁
３ａ  開口
３ｂ  ネジ挿通孔
４  後壁
４ａ  ガイド凹部
４ｂ  ガイド凹部
５  右壁
５ａ  切り欠き
５ｂ  係合凸部
６  左壁
６ａ  切り欠き
６ｂ  係合凸部
７  上壁
７ａ  挿通孔
９  凹部
１０  第２のケース
１０ａ  下面
１１  係合部材
１１ａ  係合凹部
１２  係合部材
１２ａ  係合凹部
１３  前側壁
１３ａ  切り欠き
１３ｂ  開口
１４  後側壁
１４ａ  ガイド凸部
１４ｂ  ガイド凸部
１５  右側壁
１５ａ  係合凹部
１５ｂ  摺動凸面
１５ｃ  摺動溝
１５ｄ  嵌合溝
１５ｅ  係止凹部
１５ｆ  係止部
１６  左側壁
１６ａ  係合凹部
１６ｂ  摺動凸面
１６ｃ  摺動溝
１６ｄ  嵌合溝
１６ｅ  係止凹部
１６ｆ  係止部
１７  磁石装着室
１７ａ  軸受け部
１７ｂ  軸受け部
１８  装着孔
１９  上壁
１９ａ  軸受けアーム
２０  ロック部材
２１  ロックプレート
２１ａ  差込部
２２  作動板
２２ａ  摺動突起
２２ｂ  摺動突起
２２ｃ  差込凹部
２３  連結部材
２５  操作板
２５ａ  係止爪
２５ｂ  係止爪
２６  アーム部材
２８  スナップバネ
２８ａ  一方の軸
２８ｂ  他方の軸
３０  ナット部材
３１  ナット本体
３１ａ  雌ねじ
３２  ナットケース
３２ａ  収容室
３２ｂ  透孔
３３  嵌合突起
３５  係止爪
３６  固定ネジ
４０  マグネット部材
４１  収容ケース
４２  マグネット（磁石）
４３  前壁
４３ａ  係止爪
４４  後壁
４４ａ  係止爪
４５  係止軸
５０  ストッパー装置
５１  基板
５２  ストッパー板
５３  係合開口
５４  取付軸
５５  他端（先端）
５６  凹部
６０  ネジ通し穴
６１  係合穴
６２  軸受け部
６３  係止凹部
６５  係止凹部
６８  カバー
７０  間隔調整装置
７１  係合板（間隔調整部材）
７１ａ  上面（上当接部）
７２  把持板
７３ａ  基部
７３ｂ  アーム部
７５  当接板
７６  係合片（係合部）
７７  切り欠き部
７８  ネジ
７９  係合ピン
８１  調整板
８１ａ  下端（下当接部）
８２  前係止板（装着部）
８３  後係止板（装着部）
８５  係止突起
８６  係止突起
８７  切り欠き
９１  垂直板
９２  水平板
【図１】
0005887670.tif 000002
【図２】
0005887670.tif 000003
【図３】
0005887670.tif 000004
【図４】
0005887670.tif 000005
【図５】
0005887670.tif 000006
【図６】
0005887670.tif 000007
【図７】
0005887670.tif 000008
【図８】
0005887670.tif 000009
【図９Ａ】
0005887670.tif 000010
【図９Ｂ】
0005887670.tif 000011